(57)【要約】【課題】  本発明はパソコンの本体基板、周辺機器の取り付け及び配線の接続がもっと便利で速くできるパソコン本体ケースを提供する。【解決手段】  互いに重なり合う第一のケース（１）と第ニのケース（２）を含み、第ニのケース（２）は第一のケース（１）に対して、回転軸ユニット（３）を軸として回転することが可能で、第一のケース（１）と第ニのケース（２）が重なり合う際に、係合ユニット（４）により第一及び第ニのケース（１）、（２）を固定する。【選択図】  図５
2006053884.tif 000002
【特許請求の範囲】
【請求項１】
開口部が形成されている第一の面を有する第一のケースと、
前記第一のケースの第一の面の上に重なり、前記開口部を覆う第二のケースと、
前記第一及び第二のケースをつなぎ、前記第二のケースを回転可能とさせる回転軸ユニットと、
前記第一のケースに設置される第一の係合部材および第二のケースに設置される第二の係合部材を含み、前記第一の係合部材は前記第一のケースと第二のケースが重なる際に前記第二の係合部材と係合する係合ユニットと、を有することを特徴とするパソコン本体ケース。
【請求項２】
前記第一のケースはさらに第二の面および第三の面を有し、前記第二の面は前記第一の面と直交するように前記第一の面の一側辺に隣接し、前記第三の面は前記第一の面と直交するように前記第一の面の他の側辺に隣接し、且つ前記第二の面と向かい合っており、
前記回転軸ユニットは、
切り欠き部を有し、両端が前記第一のケースの第二の面と第三の面にそれぞれ当接する棒状台座と、
前記第二のケースに設置され、前記棒状台座の切り欠き部に挿入される取付部材と、
前記取付部材を前記切り欠き部内で固定する軸ピンと、
前記棒状台座を前記第一のケースに固定する固定ピンと、を含むことを特徴とする請求項１に記載のパソコン本体ケース。
【請求項３】
前記第一の係合部材はスライド可能であって、且つ弾性部材によって一方向に付勢された状態で第一のケースに設置され、前記第一の係合部材は複数の係合フックと押ボタンを有し、
前記第二の係合部材は、前記第二のケースに形成されており、前記各係合フックと係合可能な複数の係合孔部を有することを特徴とする請求項１又は２に記載のパソコン本体ケース。
【発明の詳細な説明】
【技術分野】
【０００１】
本発明は、パソコン本体ケースの構造に関するものである。
【背景技術】
【０００２】
パソコン本体のケースの形状は主に方形箱型で、ケースの片側には固定棚が設置され、ケースの側板にはパソコンの本体基板を取り付け、固定棚にはパソコンの周辺機器を取り付けるのが一般的である。
【発明の開示】
【発明が解決しようとする課題】
【０００３】
しかしながら、固定棚はケースの中に固定設置されているため、固定棚が側板を遮ってパソコンの本体基板を簡単に取り付けることができない。なお、固定棚がケースの中に固定設置されているため、周辺機器を取り付ける際には狭いケース内で取り付けなければならなく、周辺機器も簡単に取り付けることができない。なお、ケースの内部の剰余スペースが狭くなって、この狭いスペース内で本体基板および周辺機器を接続する配線を配置するのは難しい。
【０００４】
従って、本発明の目的は、本体基板、周辺機器の組立およびその配線の接続をもっと便利で速く行うことが可能なパソコン本体ケースを提供することにある。
【課題を解決するための手段】
【０００５】
本発明によるパソコン本体ケースは、第一のケース、第二のケース、回転軸装置および係合装置を含み、当該第一と第二のケースは互いに重なり合って二層になり、第一のケースには本体基板を取り付け、第二のケースには周辺機器を取り付ける。回転軸装置は第一と第二のケースをつなぎ、回転軸装置を軸として第二のケースが回転できるようにする。また、第一と第二のケースが互いに重なり合う際に、係合装置は第一と第二のケースを固定する。
【発明の効果】
【０００６】
本発明によるパソコン本体ケースによれば、第一及び第二のケースに本体基板および周辺機器をそれぞれ取り付けることにより、本体基板、周辺機器の組立およびこれらを接続する配線が互いに干渉しないようにすることができる。
【発明を実施するための最良の形態】
【０００７】
以下、本発明の実施例について説明する。
【実施例１】
【０００８】
図１〜図５は本発明の実施例１であるパソコン本体ケースを説明する図である。本実施例のパソコン本体ケースは主に第一のケース１、第二のケース２、回転軸ユニット３および係合ユニット４を有する。
【０００９】
図１と図２に示すように、第一のケース１は方形箱型で、パソコンの本体基板５を取り付けるための開口部１１０が形成されている第一の面１１を有する。第二のケース２もパソコン周辺機器５０を組み込むことができるように方形箱型をしており、第一のケース１の第一の面１１の上に重なることで開口部１１０を覆う。
【００１０】
本実施例において、第一及び第二のケース１、２は同一な寸法を有する箱である。回転軸ユニット３は第一及び第二のケース１、２を繋いでおり、回転軸ユニット３を軸として第ニのケース２が回転できるようになっている。
【００１１】
係合ユニット４は、第一のケース１に設置された第一の係合部材４１と第ニのケース２に設置された第二の係合部材４２とを有する。第一の係合部材４１は第一のケース１と第二のケース２が重なり合う際に第二の係合部材４２と係合する。第一の係合部材４１は、スライド可能であって、且つ弾性部材によって一方向に付勢された状態で第一のケース１に設置されている。
【００１２】
また、第一のケース１はさらに第二の面１２と第三の面１３とを備えている。第二の面１２は、第一の面１１の一側辺に対して、第一の面１１と略直交するように隣接している。第三の面１３は、第一の面１１の他の側辺に対して、第一の面１１と略直交するように隣接しており、第二の面１２と向かい合っている。第二のケース２は、パソコンの周辺機器５０を取り付けることができるように収容スペース２０を備えている。
【００１３】
図３に本実施例のパソコン本体ケースの分解斜視図を示す。回転軸ユニット３は、一つの棒状台座３０、二つの取付部材３１、二つの軸ピン３２および二つの固定ピン３３を有する。棒状台座３０は方形の棒で、棒状台座３０の両端はそれぞれ第一のケース１の第二及び第三の面１２、１３の内側に当接している。棒状台座３０の両端近くにはそれぞれ切り欠き部３０１が設けられている。
【００１４】
二つの取付部材３１はそれぞれ第二のケース２に設置されて棒状台座３０の切り欠き部３０１に挿入される。二つの軸ピン３２はそれぞれ第一のケース１と切り欠き部３０１を貫通することで、取付部材３１を切り欠き部３０１内に固定させる。第二のケース２を外側に向けて一定の角度で回転させることにより、開口部１１０を露出させることができる。また、第二のケース２を内側に向けて回転させることにより、第一のケース１に重なり合って開口部１１０を覆うことができる。二つの固定ピン３３はそれぞれ棒状台座３０を第一のケース１に固定する。
【００１５】
図３と図４に示すように、係合ユニット４の第一の係合部材４１には、複数の係合フック４１０と押ボタン４１１が形成されている。第二の係合部材４２は第二のケース２に形成されており、第二の係合部材４２は、複数の係合フック４１０に対応し、各係合フック４１０と係合するための複数の係合孔部４２０を備えている。第一の係合部材４１には、さらに第一の係合部材４１の片側に設置されて第一の係合部材４１を一方向に付勢する引っ張りばねとしての弾性部材４３が含まれている。
【００１６】
図４に示すように、押ボタン４１１を片側（矢印で示す方向）に向けて押すと、係合フック４１０は係合孔部４２０に対するロックを解除させることができる。これにより、第二のケース２は外側に向けて回転することができ、第一の係合部材４１は弾性部材４３により自動的に元の位置に戻る。
【００１７】
これとは逆に、第二のケース２を内側に向けて回転させて第一のケース１の上に重ね、押ボタン４１１を押して係合フック４１０を係合孔部４２０に貫通させて押ボタン４１１に対する押力を解除すると、係合フック４１０は弾性部材４３の復元力により係合孔部４２０に係合（ロック）し、第ニのケース２を第一のケース１に固定させることができる。
【００１８】
図５に示すように、周辺機器５０が設置されている第ニのケース２を、回転軸ユニット３を軸に外側に向けて一定の角度に回転させて、第一のケース１の開口部１１０を露出させることで、本体基板５を組み込むことができる。インタフェースカードは周辺機器５０に妨害されず本体基板５に差し込むことができる。
【００１９】
なお、第ニのケース２を外側に向けて回転させることで、本体基板５と周辺機器５０の間の配線の接続も容易になる。上述したように、本実施例のパソコン本体ケースは、本体基板５、周辺機器５０及びこれらを接続する配線を互いに干渉させることなく、容易に且つ素早く組み立てることができる。
【図面の簡単な説明】
【００２０】
【図１】本発明の実施例１であるパソコン本体ケースの外観斜視図である。
【図２】第ニのケースを外側に回転させた状態におけるパソコン本体ケースの外観斜視図である。
【図３】実施例１のパソコン本体ケースの分解斜視図である。
【図４】実施例１における係合ユニットの動作を説明する図である。
【図５】実施例１における第ニのケースの開閉動作を説明する図である。
【符号の説明】
【００２１】
１  第一のケース
２  第ニのケース
３  回転軸ユニット
４  係合ユニット
５  パソコンの本体基板
１１  第一の面
１２  第二の面
１３  第三の面
２０  収容スペース
３０  棒状台座
３１  取付部材
３２  軸ピン
３３  固定ピン
４１  第一の係合部材
４２  第二の係合部材
４３  弾性部材
５０  周辺機器
１１０  開口部
３０１  切り欠き部
４１０  係合フック
４１１  押ボタン
４２０  係合孔部
【図１】
2006053884.tif 000003
【図２】
2006053884.tif 000004
【図３】
2006053884.tif 000005
【図４】
2006053884.tif 000006
【図５】
2006053884.tif 000007